(57)【要約】【課題】光ディスク内コンテンツの再生開始までの待ち時間における不快感を軽減できると共に、再生装置の前での待機時間を無くす。【解決手段】ＢＤプレーヤー１の電源ＯＮ時からＢＤ１０内コンテンツの再生開始までの一連の動作である再生準備動作を行うディスク再生部１３と、再生準備動作が行われている間、ＢＤ１０以外の記憶媒体から読み出した音声データの再生制御を行うサブＣＰＵ１２と、を備え、サブＣＰＵ１２は、再生準備動作の中で、ユーザー操作の必要なタイミングがＮ回（Ｎは、Ｎ≧１となる整数）ある場合、その都度、音声データを切り替え、再生準備動作が行われている間に合計（Ｎ＋１）種類の音声データを再生させることを特徴とする。【選択図】図１
2014026682.tif 000002
【特許請求の範囲】
【請求項１】
光ディスクの再生を行う再生装置であって、
再生装置の電源ＯＮ時から前記光ディスク内コンテンツの再生開始までの一連の動作である再生準備動作を行う再生動作部と、
前記再生準備動作が行われている間、前記光ディスク以外の記憶媒体から読み出した音声データの再生制御を行う音声再生制御部と、を備え、
前記音声再生制御部は、前記再生準備動作の中で、ユーザー操作の必要なタイミングがＮ回（Ｎは、Ｎ≧１となる整数）ある場合、その都度、音声データを切り替え、前記再生準備動作が行われている間に合計（Ｎ＋１）種類の音声データを切り替えて再生させることを特徴とする再生装置。
【請求項２】
前記再生動作部は、前記光ディスク内コンテンツの再生終了から再生装置の電源ＯＦＦ時までの一連の動作である再生終了動作をさらに行い、
前記音声再生制御部は、前記再生終了動作が行われている間、前記光ディスク以外の記憶媒体から読み出した音声データの再生制御を行わせ、前記再生終了動作の中で、ユーザー操作の必要なタイミングがＭ回（Ｍは、Ｍ≧１となる整数）ある場合、その都度、音声データを切り替え、前記再生終了動作が行われている間に合計（Ｍ＋１）種類の音声データを切り替えて再生させることを特徴とする請求項１に記載の再生装置。
【請求項３】
前記ユーザー操作の必要なタイミングは、前記光ディスクを再生装置にセットするタイミング、メニュー画面の操作を行うタイミング、および前記光ディスクを再生装置から取り出すタイミングを含むことを特徴とする請求項２に記載の再生装置。
【請求項４】
前記光ディスクに記録されたコンテンツ種類を判別するコンテンツ種類判別部をさらに備え、
前記音声再生制御部は、前記（Ｎ＋１）種類および前記（Ｍ＋１）種類の音声データのうち、少なくとも１つの音声データは、前記コンテンツ種類に応じた音声データを再生させることを特徴とする請求項２または３に記載の再生装置。
【請求項５】
前記コンテンツ種類判別部は、前記光ディスクのメタデータ領域に記録されているメタデータに基づいて、前記コンテンツ種類を判別し、
前記音声再生制御部は、前記コンテンツ種類と前記音声データとを紐付けた照合表を参照することによって、前記コンテンツ種類に応じた音声データを選択し、選択した音声データを再生させることを特徴とする請求項４に記載の再生装置。
【請求項６】
音声データを出力する出力装置と接続され、
前記出力装置に対し、再生装置の電源ＯＮ時に、電源ＯＮ信号を送信する電源ＯＮ信号送信部をさらに備え、
前記出力装置は、前記電源ＯＮ信号の受信に伴って、信号入力源を前記再生装置に切り替えることを特徴とする請求項１ないし５のいずれか１項に記載の再生装置。
【請求項７】
光ディスクの再生を行う再生装置の制御方法であって、
再生装置の電源ＯＮ時から前記光ディスク内コンテンツの再生開始までの一連の動作である再生準備動作が行われている間、前記光ディスク以外の記憶媒体から読み出した音声データの再生制御を行う音声再生制御ステップを実行し、
前記音声再生制御ステップは、前記再生準備動作の中で、ユーザー操作の必要なタイミングがＮ回（Ｎは、Ｎ≧１となる整数）ある場合、その都度、音声データを切り替え、前記再生準備動作が行われている間に合計（Ｎ＋１）種類の音声データを切り替えて再生させることを特徴とする再生装置の制御方法。
【請求項８】
コンピューターに、請求項７に記載の再生装置の制御方法における音声再生制御ステップを実行させるためのプログラム。
【発明の詳細な説明】
【技術分野】
【０００１】
本発明は、再生開始時までの待ち時間におけるユーザーの不快感を解消する再生装置、再生装置の制御方法およびプログラムに関する。
【背景技術】
【０００２】
この種の技術として、番組配信サーバーからダウンロードした動画データを再生する動画データ鑑賞装置において、動画データの鑑賞開始操作に伴って、外部から広告動画データを入力し、当該広告動画データの連続再生を自動的に開始するものが知られている（例えば、特許文献１）。この構成により、広告動画データ配信者にとっては、広告提供の機会が与えられる。また、ユーザーにとっては、動画データのダウンロード時間における待ち時間の不快感を軽減できる効果がある。
【０００３】
一方、このような待ち時間の不快感を軽減するといった課題は、光ディスクの再生装置においても共通する。一般的に、光ディスク内コンテンツの本編再生開始までには、ＯＳ（Operating  System）の起動、トレークローズ、ディスク判別、ファイルシステムの読み込み、コンテンツデータの読み込み、圧縮コンテンツのデコードなど様々な処理が必要であり、一定の待ち時間を必要とする。その解決策として、製品内部で常時電源ＯＮ状態を維持しておき、ユーザーからの起動指令時に瞬時に起動したように見せかける製品も知られている。
【先行技術文献】
【特許文献】
【０００４】
【特許文献１】特開２０１１−１４２６０５号公報
【発明の概要】
【発明が解決しようとする課題】
【０００５】
ところが、待ち時間短縮のために、常時電源ＯＮ状態を維持しておく方法は、待機消費電力が大きくなるといった課題がある。また、特許文献１の技術を、光ディスクの再生装置に適用することも考えられるが、光ディスク再生開始までの待ち時間に広告動画データを連続再生する場合、本来これから試聴したいコンテンツの再生メニュー選択操作を行う際に、広告動画データを一旦中止してメニュー表示を行わなければならず、操作が煩雑である。また、光ディスク内コンテンツの再生開始までには、トレーに光ディスクをセットしたり、上記のようにメニュー選択を行ったりなどのユーザー操作が必要となるが、どの程度の待ち時間で光ディスクのセットが可能となるのか、また光ディスクのセット後、さらにどの程度の待ち時間でメニュー選択が可能となるのかが分からないため、ユーザーは再生装置の前で、各操作を行うために待機しなければならず、この点においても不便である。
【０００６】
本発明は、上記の問題点に鑑み、光ディスク内コンテンツの再生開始までの待ち時間における不快感、および再生装置の前での待機時間を軽減すること、並びに待機消費電力を少なくすることが可能な再生装置、再生装置の制御方法およびプログラムを提供することを目的とする。
【課題を解決するための手段】
【０００７】
本発明の再生装置は、光ディスクの再生を行う再生装置であって、再生装置の電源ＯＮ時から光ディスク内コンテンツの再生開始までの一連の動作である再生準備動作を行う再生動作部と、再生準備動作が行われている間、光ディスク以外の記憶媒体から読み出した音声データの再生制御を行う音声再生制御部と、を備え、音声再生制御部は、再生準備動作の中で、ユーザー操作の必要なタイミングがＮ回（Ｎは、Ｎ≧１となる整数）ある場合、その都度、音声データを切り替え、再生準備動作が行われている間に合計（Ｎ＋１）種類の音声データを切り替えて再生させることを特徴とする。
【０００８】
本発明の再生装置の制御方法は、光ディスクの再生を行う再生装置の制御方法であって、再生装置の電源ＯＮ時から光ディスク内コンテンツの再生開始までの一連の動作である再生準備動作が行われている間、光ディスク以外の記憶媒体から読み出した音声データの再生制御を行う音声再生制御ステップを実行し、音声再生制御ステップは、再生準備動作の中で、ユーザー操作の必要なタイミングがＮ回（Ｎは、Ｎ≧１となる整数）ある場合、その都度、音声データを切り替え、再生準備動作が行われている間に合計（Ｎ＋１）種類の音声データを切り替えて再生させることを特徴とする。
【０００９】
これらの構成によれば、光ディスク内コンテンツの再生準備動作が行われている間、音声データが再生されるため、再生開始までの待ち時間における不快感を軽減できる。また、ユーザー操作の必要なタイミングごとに、音声データの切り替え制御が行われるため、ユーザーは、音声データの切り替え時に再生装置の前に行けば良い。これにより、光ディスク内コンテンツの再生開始前における、再生装置の前でのユーザーの待機時間を軽減することができる。
なお、音声データとはAudioデータのことであり、音、音楽、音声を含む総称である。以降表記のある音声データもこれと同様である。
また、ユーザー操作としては、例えば光ディスクをトレーにセットする、メニューより見たいタイトル（チャプタ）を選択するなどであり、この場合Ｎ=２となる。
【００１０】
上記の再生装置において、再生動作部は、光ディスク内コンテンツの再生終了から再生装置の電源ＯＦＦ時までの一連の動作である再生終了動作をさらに行い、音声再生制御部は、再生終了動作が行われている間、光ディスク以外の記憶媒体から読み出した音声データの再生制御を行わせ、再生終了動作の中で、ユーザー操作の必要なタイミングがＭ回（Ｍは、Ｍ≧１となる整数）ある場合、その都度、音声データを切り替え、再生終了動作が行われている間に合計（Ｍ＋１）種類の音声データを再生させることを特徴とする。
【００１１】
この構成によれば、光ディスク内コンテンツの再生終了動作が行われている間、音声データが再生されるため、再生終了から再生装置の電源ＯＦＦまでの待ち時間における不快感を軽減できる。また、ユーザー操作の必要なタイミングごとに、音声データの切り替え制御が行われるため、再生終了後における、再生装置の前でのユーザーの待機時間を軽減することができる。
なお、ユーザー操作としては、例えばトレーをオープンし光ディスクをとりだすなどであり、この場合Ｍ=１となる。
【００１２】
上記の再生装置において、ユーザー操作の必要なタイミングは、光ディスクを再生装置にセットするタイミング、メニュー画面の操作を行うタイミング、光ディスクを再生装置から取り出すタイミングを含むことを特徴とする。
【００１３】
この構成によれば、光ディスクのセット、メニュー画面の操作、および光ディスクの取り出しのための、再生装置の前でのユーザーの待機時間を軽減することができる。
【００１４】
また、他の例として、上記の再生装置において、光ディスクに記録されたコンテンツ種類を判別するコンテンツ種類判別部をさらに備え、音声再生制御部は、（Ｎ＋１）種類および（Ｍ＋１）種類の音声データのうち、少なくとも１つの音声データは、コンテンツ種類に応じた音声データを再生させてもよい。
【００１５】
この構成によれば、光ディスク内コンテンツの再生前後において、コンテンツ種類に応じた音声データを再生するため、例えばコンテンツのジャンルに応じた音声データを再生することで、コンテンツの再生開始までに高揚感を高めたり、コンテンツの再生終了後に余韻を残したりすることができる。
なお、「コンテンツ種類」は、ジャンルの他、出演者、製作国、製作年代等によって区別しても良い。
【００１６】
上記の再生装置において、コンテンツ種類判別部は、光ディスクのメタデータ領域に記録されているメタデータに基づいて、コンテンツ種類を判別し、音声再生制御部は、コンテンツ種類と音声データとを紐付けた照合表を参照することによって、コンテンツ種類に応じた音声データを選択し、選択した音声データを再生させることを特徴とする。
【００１７】
この構成によれば、メタデータに基づいて、コンテンツ種類を判別することができる。また、コンテンツ種類と音声データとを紐付けた照合表を参照することによって、コンテンツ種類に応じた音声データを容易に選択することができる。
【００１８】
上記の再生装置において、音声データを出力する出力装置と接続され、出力装置に対し、再生装置の電源ＯＮ時に、電源ＯＮ信号を送信する電源ＯＮ信号送信部をさらに備え、出力装置は、電源ＯＮ信号の受信に伴って、信号入力源を再生装置に切り替えることを特徴とする。
【００１９】
この構成によれば、ユーザーによるＴＶなどの出力装置の入力切替操作を必要とすることなく、再生装置の電源ＯＮに伴って、ＴＶなどの出力装置から再生装置側の音声データの出力を行うことができる。
【００２０】
本発明のプログラムは、コンピューターに、上記の再生装置の制御方法における音声再生制御ステップを実行させることを特徴とする。
【００２１】
このプログラムを用いることにより、再生待機消費電力を抑えつつ光ディスク内コンテンツの再生開始までの待ち時間における不快感、および再生装置の前での待機時間を軽減することが可能な再生装置の制御方法を実現できる。
【図面の簡単な説明】
【００２２】
【図１】第１実施形態に係る再生システムのブロック図である。
【図２】再生システムの状態と、ＢＤプレーヤーの再生音声との関連を示す説明図である。
【図３】一連の再生処理を示すフローチャートである。
【図４】第２実施形態に係る照合表の一例を示す図である。
【図５】第３実施形態に係る再生システムのブロック図である。
【発明を実施するための形態】
【００２３】
［第１実施形態］
以下、本発明の一実施形態に係る再生装置、再生装置の制御方法およびプログラムについて、添付図面を参照しながら詳細に説明する。第１実施形態では、本発明の再生装置を、ＢＤ（Blu-ray  Disc）プレーヤーに適用した場合について説明する。
【００２４】
図１は、第１実施形態に係る再生システムＳＹのブロック図である。再生システムＳＹは、ＢＤプレーヤー１と、ＴＶ２から成り、両者はＨＤＭＩ（High-Definition  Multimedia  Interface）ケーブル５を介して接続されている。
【００２５】
ＢＤプレーヤー１は、メインＣＰＵ（Central  Processing  Unit）１１、サブＣＰＵ１２、ディスク再生部１３、内蔵メモリ１４、外部メモリ読込部１５、音声切替部１６およびＨＤＭＩ送信部１７を備えている。
【００２６】
メインＣＰＵ１１は、ディスク再生部１３を制御して、ＢＤ１０（光ディスク）の再生制御を行うなど、ＢＤプレーヤー１全体を制御する（再生動作部）。これに対し、サブＣＰＵ１２は、電源ＯＮ指令の受信、内蔵メモリ１４または外部メモリ２０から読み出した音声データの再生制御（音声データの再生指令、切替制御など）等を行う（音声再生制御部）。なお、ディスク再生部１３の起動後における音声データの再生制御は、メインＣＰＵ１１が行う。
【００２７】
ディスク再生部１３は、メインＣＰＵ１１の制御下で、ＢＤ１０の再生動作を行う。なお、ＢＤプレーヤー１の電源ＯＮ時からＢＤ１０内コンテンツの本編再生開始までの一連の動作である「再生準備動作」と、ＢＤプレーヤー１内コンテンツの本編再生終了からＢＤプレーヤー１の電源ＯＦＦ時までの一連の動作である「再生終了動作」も、これらメインＣＰＵ１１とディスク再生部１３によって実現される。なお、「再生準備動作」としては、ＯＳ（Operating  System）の起動、トレークローズ、ディスク判別、ファイルシステムの読み込み、ＢＤ１０内コンテンツの読み込み、圧縮コンテンツのデコード等が含まれる。
【００２８】
内蔵メモリ１４は、上記の「再生準備動作」および「再生終了動作」中に再生される音声データを不揮発に記憶している。これら「再生準備動作」および「再生終了動作」に要する時間は、ユーザーが本来待ちたくない時間である。以下の説明では、「再生準備動作」に要する時間を、「不快時間ｔ１」、「再生終了動作」に要する時間を、「不快時間ｔ２」と称する（図２参照）。また、「再生準備動作」および「再生終了動作」中に再生される音声データを、「不快解消音」と称する。なお、「不快解消音」として用いる音声データは、楽曲コンテンツであっても良いし、効果音やメロディー音などであっても良い。
【００２９】
外部メモリ読込部１５は、ＵＳＢメモリやＳＤカード等の外部メモリ２０を読み込む。外部メモリ２０には、上記の「不快解消音」として利用される音声データが記憶されている。
【００３０】
なお、上記の「不快解消音」として用いるための音声データは、内蔵メモリ１４または外部メモリ２０に記憶された複数の音声データの中から、予めユーザーによって設定されてもよいし、デフォルト設定音で使用してもよい。本実施形態では、「不快解消音」として、Ａパターン音〜Ｅパターン音（図２参照）を設定しておく。当該設定は、例えば、ＢＤプレーヤー１付属のリモコンまたは操作パネル（いずれも図示省略）を用いて行う。つまり、リモコン等を用いて、各パターンに対応する音声データを設定し、その設定情報を、ＢＤプレーヤー１内の不揮発性メモリ（図示省略）に記憶させる。なお、設定情報を、音声データと共に内蔵メモリ１４に記憶させても良い。また、ＢＤプレーヤー１で設定を行うのではなく、パーソナルコンピューターやタブレット端末等で予め設定を行っておく方法でも良い。この場合、パーソナルコンピューター等で音声データとパターン記号（Ａ〜Ｅ）とを紐付けしておき、その設定情報を、外部メモリ２０を介して、音声データと共に取得する。
【００３１】
音声切替部１６は、ディスク再生部１３からの音声データを出力するか、内蔵メモリ１４または外部メモリ２０から取得した音声データを出力するかを切り替える。ＨＤＭＩ送信部１７は、ＨＤＭＩの規格に基づき、デジタル化された音声データおよび映像データ、並びにＣＥＣコマンドを、ＴＶ２に向けて送信する。ＣＥＣコマンドとしては、例えばＢＤプレーヤー１の電源ＯＮ時に、電源ＯＮを示すＣＥＣコマンド（電源ＯＮ信号）を送信する（電源ＯＮ信号送信部）。当該ＣＥＣコマンドの送信は、メインＣＰＵ１１またはサブＣＰＵ１２によって制御される。
【００３２】
一方、ＴＶ２は、ＣＥＣコマンド制御部２１、ＨＤＭＩ受信部２２、音声再生部２３、映像再生部２４、スピーカー２５およびディスプレイ２６を備えている。ＣＥＣコマンド制御部２１は、ＢＤプレーヤー１から送信されたＣＥＣコマンドに基づく制御を行う。例えば、ＨＤＭＩ受信部２２によりＢＤプレーヤー１の電源ＯＮを示すＣＥＣコマンドを受信すると、ＴＶ２の入力切替制御（ＢＤプレーヤー１を信号入力源とするための制御）を行う。
【００３３】
ＨＤＭＩ受信部２２は、ＨＤＭＩの規格に基づき、ＢＤプレーヤー１から音声データおよび映像データ、並びにＣＥＣコマンドを受信する。音声再生部２３は、ＢＤプレーヤー１から受信した音声データ（本編再生音、不快解消音を含む）を再生する。また、映像再生部２４は、ＢＤプレーヤー１から受信した映像データ（本編再生映像、その他ＢＤプレーヤー１からの出力映像を含む）を再生する。スピーカー２５は、音声再生部２３による再生音を出力する。また、ディスプレイ２６は、映像再生部２４による再生映像を出力（表示）する。
【００３４】
図２は、再生システムＳＹの状態と、ＢＤプレーヤー１の再生音声との関連を示す説明図である。同図に示すように、再生システムＳＹの状態は、ＴＶ２の電源ＯＮ、ＢＤプレーヤー１の電源ＯＮ、ＴＶ２の入力切替、ＢＤプレーヤー１のトレーオープン可能状態（ＢＤプレーヤー１の起動完了）、ユーザー操作に基づくＢＤプレーヤー１へのＢＤ１０のセットおよびトレークローズ、メニュー画面表示、ＢＤ１０内コンテンツの本編再生開始、ＢＤ１０内コンテンツの本編再生終了、ユーザー操作に基づくＢＤプレーヤー１のトレーオープンおよびＢＤ１０の取り出し、ＢＤプレーヤー１の電源ＯＦＦ、の順に移行していく。
【００３５】
また、ＢＤプレーヤー１の再生音声は、上記の通り、「再生準備動作」中（「不快時間ｔ１」）と、「再生終了動作」中（「不快時間ｔ２」）に、不快解消音を再生し、ＢＤ１０内コンテンツの本編再生開始から本編再生終了までは、本編再生音を再生する。また、不快解消音は、ユーザー操作の必要なタイミングで、音声データが切り替わる。具体的には、「再生終了動作」中、ＢＤプレーヤー１の電源ＯＮからＢＤプレーヤー１のトレーオープン可能状態まで、Ａパターン音を再生し、ＢＤプレーヤー１のトレーオープン可能状態からメニュー画面表示まで、Ｂパターン音を再生し、メニュー画面表示から本編再生開始まで、Ｃパターン音を再生する。また、「再生終了動作」中は、ＢＤ１０内コンテンツの本編再生終了からＢＤプレーヤー１のトレーオープンまで、Ｄパターン音を再生し、ＢＤプレーヤー１のトレーオープンからＢＤプレーヤー１の電源ＯＦＦまで、Ｅパターン音を再生する。
【００３６】
このように、ユーザー操作の必要なタイミングごとに音声データを切り替えるため、「再生準備動作」中、ユーザー操作の必要なタイミングがＮ回ある場合は、（Ｎ＋１）種類の音声データを再生する。また、「再生終了動作」中、ユーザー操作の必要なタイミングがＭ回ある場合は、（Ｍ＋１）種類の音声データを再生する。
【００３７】
なお、各音声データの切替タイミングは、必ずしも上記の通りでなくても良い。例えば、切替タイミングの数秒前から、次のパターン音の再生を開始しても良い。また、このとき、切替タイミング数秒前から、切替前の音声データの音量を徐々に下げていく（フェードアウトする）と共に、切替後の音声データの音量を上げていく（フェードインする）などのミキシング処理を行っても良い。
【００３８】
また、ＢＤ１０内コンテンツの本編再生開始タイミングを正確に把握できない場合は、メニュー選択画面においてユーザーが選択操作を行ってから数秒後に、ＢＤプレーヤー１の再生音声を、不快解消音から本編再生音に切り替えるなどの制御を行っても良い。
【００３９】
図３は、再生システムＳＹにおける一連の再生処理を示すフローチャートである。ＴＶ２の電源ＯＮ（Ｓ０１）の後、ＢＤプレーヤー１が電源ＯＮされると、これに伴って、不快解消音（Ａパターン音）の再生を開始する（Ｓ０２）。また、ＴＶ２では、ＢＤプレーヤー１の電源ＯＮに伴って送信されるＣＥＣコマンド（電源ＯＮ信号）により、ＢＤプレーヤー１の存在を認識する（Ｓ０３）。当該認識により、ＢＤプレーヤー１を信号入力源とするための入力切替を行い、これに伴って不快解消音の出力を開始する（Ｓ０４）。
【００４０】
ＢＤプレーヤー１は、電源ＯＮ後、初期設定（再生準備動作の一部）を行い、起動完了すると（トレーオープン可能状態となると）、Ａパターン音からＢパターン音に音声データを切り替える（Ｓ０５）。また、ユーザー操作によるＢＤ１０のセットおよびトレークローズの後（Ｓ０６）、メニュー画面を表示すると、Ｂパターン音からＣパターン音に音声データを切り替える（Ｓ０７）。また、ユーザー操作によるメニュー選択後（Ｓ０８）、本編再生開始状態となると、不快解消音（Ｃパターン音）の再生を停止し、本編の再生を開始する（Ｓ０９）。これに伴い、ＴＶ２では、不快解消音の出力を停止し、本編音声と映像の出力を開始する（Ｓ１０）。
【００４１】
その後、ＢＤプレーヤー１で本編再生が終了すると、不快解消音（Ｄパターン音）の再生を開始する（Ｓ１１）。これに伴い、ＴＶ２では、本編音声と映像の出力を停止し、不快解消音の出力を開始する（Ｓ１２）。ＢＤプレーヤー１では、ユーザー操作によるトレーオープンおよびＢＤ１０の取り出し後、Ｄパターン音からＥパターン音に音声データを切り替える（Ｓ１３）。さらに、ＢＤプレーヤー１が電源ＯＦＦされると、不快解消音の再生を終了する（Ｓ１４）。また、ＴＶ２では、ＢＤプレーヤー１の電源ＯＦＦに伴って送信されるＣＥＣコマンドにより、ＢＤプレーヤー１の認識を完了し、不快解消音の出力を終了する（Ｓ１５）。
【００４２】
以上説明したとおり、第１実施形態によれば、ＢＤプレーヤー１においてＢＤ１０の再生準備動作が行われている間、不快解消音が再生されるため、本編再生開始までの待ち時間における不快感を軽減できる。また、ユーザー操作の必要なタイミングごとに、異なる不快解消音が再生されるため、ユーザーは、不快解消音の切り替え時にＢＤプレーヤー１の前に行けば良い。これにより、本編再生開始前における、ＢＤプレーヤー１の前でのユーザーの待機時間を軽減することができる。
【００４３】
同様に、ＢＤ１０の再生終了動作が行われている間も、不快解消音が再生されるため、本編再生終了からＢＤプレーヤー１の電源ＯＦＦまでの待ち時間における不快感を軽減できる。
【００４４】
また、ＢＤプレーヤー１の電源ＯＮに伴うＣＥＣコマンドの送信により、ＴＶ２の入力切替が行われるため、ユーザーによる入力切替操作を必要とすることなく、且つＢＤプレーヤー１の電源ＯＮ直後に、不快解消音の再生出力を開始することができる。
【００４５】
なお、上記の第１実施形態では、「再生準備動作中」および「再生終了動作中」に不快解消音の再生が行われるものとしたが、当該不快解消音の再生／非再生について、ユーザーが選択可能としても良い。
【００４６】
また、ユーザーが設定を行うのではなく、予め（ＢＤプレーヤー１の工場出荷時点において）決まった音声データをパターン別に用意し、書き換え不能に記憶させておく構成でも良い。この場合、パターンごとに全て異なる音声データを記憶させておく構成でも良いし、「再生準備動作」中と「再生終了動作」中とで、一部共通する音声データを記憶させておく構成でも良い。
【００４７】
［第２実施形態］
次に、図４を参照し、本発明の第２実施形態について説明する。上記の第１実施形態では、不快解消音として再生する音声データは、ユーザーが予め設定しておいた固定のものであったが、本実施形態では、ＢＤ１０内のコンテンツ種類に応じて、再生する音声データを可変する点で異なる。以下、第１実施形態と異なる点のみ説明する。なお、本実施形態において、第１実施形態と同様の構成部分については同様の符号を付し、詳細な説明を省略する。また、第１実施形態と同様の構成部分について適用される変形例は、本実施形態についても同様に適用される。
【００４８】
図４は、コンテンツ（映画コンテンツ）のジャンルと、不快解消音（Ａパターン音〜Ｅパターン音のうち、いずれか１以上のパターン音）として用いる音声データの番号（音声データの識別情報）とを紐付けた照合表５１を示す図である。照合表５１は、例えば内蔵メモリ１４、若しくはＢＤプレーヤー１内の他の不揮発性メモリに記憶される。同図では、例えばＢＤ１０内のコンテンツのジャンルが「アクション」の場合、音声データ番号「００１」が再生されることを意味している。なお、照合表５１の音声データ番号は、予め音声データと共に内蔵メモリ１４等に書き換え不能に記憶させておく構成でも良いし、ユーザーが、各ジャンルに対応する音声データ番号を好みのものに書き換え可能としても良い。
【００４９】
ＢＤプレーヤー１は、ＢＤ１０のセット後、ＢＤ１０に記録された内蔵コンテンツのジャンル（コンテンツ種類）を判別する（コンテンツ種類判別部）。判別方法としては、ＢＤ１０内のメタデータ領域に記載されている識別番号から特定する方法が考えられる。また、メタデータ領域に記載されている識別番号を読み出し、インターネット等を介して所定のＷｅｂサーバーからジャンル情報を入手しても良い。ＢＤプレーヤー１は、コンテンツのジャンルを判別した後、その判別結果に応じて、再生する音声データを選択する。
【００５０】
なお、本実施形態において、コンテンツのジャンルの判別および音声データの選択は、メインＣＰＵ１１またはサブＣＰＵ１２（いずれも図１参照）によって制御される。
【００５１】
以上説明したとおり、第２実施形態によれば、ＢＤ１０内コンテンツの再生前後において、コンテンツのジャンルに応じた音声データを再生するため、コンテンツの再生開始までに高揚感を高めたり、コンテンツの再生終了後に余韻を残したりすることができる。また、ＢＤ１０のメタデータ領域を参照して、コンテンツのジャンルを判別するため、正確な判別結果を行うことができる。さらに、コンテンツのジャンルと音声データとを紐付けた照合表５１を用いるため、ジャンルに応じた音声データを容易に選択することができる。
【００５２】
なお、上記の実施形態では、コンテンツ種類として、コンテンツのジャンルに応じた音声データを選択したが、その他、コンテンツの出演者、製作国、製作年代等、各種属性に応じた音声データを選択可能としても良い。また、「コンテンツ種類」として、どのような属性を用いるかについて、ユーザーが設定可能としても良い。
【００５３】
［第３実施形態］
次に、図５を参照し、本発明の第３実施形態について説明する。上記の第１実施形態では、ＢＤプレーヤー１とＴＶ２から成る再生システムＳＹを例示したが（図１参照）、本実施形態では、システム構成が異なる。以下、第１実施形態と異なる点のみ説明する。なお、本実施形態において、第１，第２実施形態と同様の構成部分については同様の符号を付し、詳細な説明を省略する。また、第１，第２実施形態と同様の構成部分について適用される変形例は、本実施形態についても同様に適用される。
【００５４】
図５は、第３実施形態に係る再生システムＳＹのブロック図である。本実施形態の再生システムＳＹは、ＢＤプレーヤー１と、ＡＶレシーバー３と、ＴＶ２と、スピーカー４から成り、ＢＤプレーヤー１とＡＶレシーバー３は、ＨＤＭＩケーブル５を介して接続されている。
【００５５】
ＢＤプレーヤー１は、メインＣＰＵ１１、サブＣＰＵ１２、ディスク再生部１３およびＨＤＭＩ送信部１７を備えている。各部の機能は、第１実施形態と同様である。
【００５６】
一方、ＴＶ２は、ＣＥＣコマンド制御部３１、ＨＤＭＩ受信部３２、音声再生処理部３３、ＣＰＵ３４、内蔵メモリ３５、外部メモリ読込部３６、音声切替部３７、Ｄ／Ａコンバーター３８およびＨＤＭＩ送信部３９を備えている。
【００５７】
ＣＥＣコマンド制御部３１およびＨＤＭＩ受信部３２は、第１実施形態のＴＶ２におけるＣＥＣコマンド制御部２１およびＨＤＭＩ受信部２２と同様に機能する。音声再生処理部３３は、ＨＤＭＩ受信部２２を介して受信した音声データの音声処理（音量調整等）を行う。内蔵メモリ３５および外部メモリ読込部３６は、第１実施形態のＢＤプレーヤー１における内蔵メモリ１４および外部メモリ読込部１５と同様に機能する。但し、本実施形態に第２実施形態を適用する場合（コンテンツ種類に応じて、再生する音声データを可変する場合）、照合表５１は、内蔵メモリ３５、若しくはＡＶレシーバー３内の他の不揮発性メモリ（図示省略）に記憶される。
【００５８】
ＣＰＵ３４は、ＣＥＣコマンド制御部２１と連動して、音声切替部３７の制御を行う（音声再生制御部）。例えば、ＣＥＣコマンドとして音声データの再生開始指令、再生終了指令、再生切替指令等を受信した場合、各パターン音の再生開始、再生終了、切替等を制御する。また、本実施形態に第２実施形態を適用する場合、ＣＥＣコマンドとして、コンテンツ種類を示す情報を受信し、照合表５１を参照して、音声データの選択を行う。
【００５９】
Ｄ／Ａコンバーター３８は、音声データ（本編再生音、不快解消音を含む）のデジタル／アナログ変換を行い、スピーカー４に出力する。ＨＤＭＩ送信部３９は、ＢＤプレーヤー１から出力された映像データ（本編再生映像、その他ＢＤプレーヤー１からの出力映像を含むデジタルデータ）を、ＴＶ２にＨＤＭＩ出力する。
【００６０】
以上説明したとおり、第３実施形態によれば、第１実施形態のＢＤプレーヤー１の機能を、ＢＤプレーヤー１とＡＶレシーバー３で分担することができる。つまり、本発明の「再生装置」を、ＢＤプレーヤー１とＡＶレシーバー３で実現することができる。
【００６１】
上記のとおり、３つの実施形態を示したが、各実施形態における再生システムＳＹの各構成要素をプログラムとして提供することが可能である。また、そのプログラムを各種記録媒体（ＣＤ−ＲＯＭ、フラッシュメモリ等）に格納して提供することも可能である。すなわち、コンピューターを再生システムＳＹの各構成要素として機能させるためのプログラム、およびそれを記録した記録媒体も、本発明の権利範囲に含まれる。
【００６２】
また、上記の実施形態では、再生装置を、ＢＤプレーヤー１単体、若しくはＢＤプレーヤー１とＡＶレシーバー３の組合せで実現する場合を例示したが、その他の音響機器（ＤＶＤプレーヤー、ホームＡＶ機器など）、若しくはその組合せで実現しても良い。その他、本発明の要旨を逸脱しない範囲で、適宜変更が可能である。
【符号の説明】
【００６３】
１…ＢＤプレーヤー  ３…ＡＶレシーバー  ４…スピーカー  ５…ＨＤＭＩケーブル  １１…メインＣＰＵ  １２…サブＣＰＵ  １３…ディスク再生部  １４…内蔵メモリ  １５…外部メモリ読込部  １６…音声切替部  １７…ＨＤＭＩ送信部  ２０…外部メモリ  ２１…ＣＥＣコマンド制御部  ２２…ＨＤＭＩ受信部  ２３…音声再生部  ２４…映像再生部  ２５…スピーカー  ２６…ディスプレイ  ３１…ＣＥＣコマンド制御部  ３２…ＨＤＭＩ受信部  ３３…音声再生処理部  ３４…ＣＰＵ  ３５…内蔵メモリ  ３６…外部メモリ読込部  ３７…音声切替部  ３８…Ｄ／Ａコンバーター  ３９…ＨＤＭＩ送信部  ５１…照合表  ＳＹ…再生システム
【図１】
2014026682.tif 000003
【図２】
2014026682.tif 000004
【図３】
2014026682.tif 000005
【図４】
2014026682.tif 000006
【図５】
2014026682.tif 000007